(57)【要約】【課題】移動端末装置が機器の設置場所から所定の位置に入ったとき、機器の制御を実行するセキュリティシステム、セキュリティ方法、及びそのプログラムを提供する。【解決手段】移動端末装置１０１が予め登録した位置に入ったとき、移動端末装置１０１は宅内装置１０２のセキュリティ機器３０５に機器のデータを受信することによって、表示手段２０１への表示と、セキュリティ機器の遠隔制御が可能となることから、安心して外出することができる。【選択図】図１
2005316555.tif 000002
【特許請求の範囲】
【請求項１】
宅内装置と移動端末装置とからなるセキュリティシステムであって、前記宅内装置は、建物のセキュリティ機器と、前記セキュリティ機器と通信して遠隔制御するための宅内通信手段と、前記セキュリティ機器の制御状態に関するデータを記憶する記憶手段と、外部とのネットワークを可能とするための外部通信手段と、前記セキュリティ機器、宅内通信手段、記憶手段、外部通信手段を制御する第１の制御手段とで構成され、前記移動端末装置は、近距離無線範囲内に位置する前記宅内装置との間で無線通信を行う近距離無線通信手段と、移動端末装置の現在の位置を検出し現在位置データを出力する位置検出手段と、前記近距離無線通信手段、位置検出手段を制御する第２の制御手段と、表示手段とで構成され、前記第２の制御手段は前記位置検出手段からの移動端末装置の前記現在位置データが予め登録した位置に入ったとき、前記近距離無線通信手段を介して前記宅内装置から前記セキュリティ機器へのデータを受信し、前記表示手段に表示するセキュリティシステム。
【請求項２】
前記移動端末装置は前記セキュリティ機器を指定したある状態へ変化させる制御信号を、前記近距離無線通信手段を介して出力し機器制御することを特徴とした請求項１に記載のセキュリティシステム。
【請求項３】
前記移動端末装置は前記セキュリティ機器のデータを受信し、前記セキュリティ機器が移動端末装置に予め登録している指定したある状態でないと判断した場合、セキュリティ機器を指定したある状態へ変更させる制御信号を移動端末装置の判断で前記近距離無線通信手段を介して出力することを特徴とした請求項１または２に記載のセキュリティシステム。
【請求項４】
宅内装置と移動端末装置とからなるセキュリティシステムであって、移動端末装置の現在の位置を検出し現在位置データを出力する位置検出手順と、前記位置検出手順において移動端末装置の前記現在位置データが予め登録した位置に入ったときに近距離無線通信手段を介して前記宅内装置から前記セキュリティ機器のデータを受信し、前記移動端末装置の表示手段に表示する手順とを備えることを特徴としたセキュリティ方法。
【請求項５】
前記移動端末装置は前記セキュリティ機器のデータを受信した後に、前記セキュリティ機器が移動端末装置に予め登録している指定したある状態でないと判断した場合、セキュリティ機器を指定したある状態へ変更させる制御信号を移動端末装置の判断で前記近距離無線通信手段を介して出力する手順を備えることを特徴とした請求項４に記載のセキュリティ方法。
【請求項６】
請求項１〜３のいずれか１項記載のセキュリティシステムの機能の少なくとも一部をコンピュータに実現させるためのプログラム。
【発明の詳細な説明】
【技術分野】
【０００１】
本発明は、機器の遠隔的な制御に関し、例えば移動端末装置が機器の設置場所から所定の位置に入ったとき、制御を実行するセキュリティシステム、セキュリティ方法、及びそのプログラムに関するものである。
【背景技術】
【０００２】
従来、この種のセキュリティシステムは、屋内に配置され、火災、ガス漏れ、防犯などの各種セキュリティセンサーを通じて接続したインターホンの親機と一体になったコントローラと、玄関先に設置しているインターホン子機とが信号線を通じて接続されており、ドアホン子機に点検捜査ユニットの試験用プラグが配設され、そのプラグを通じて捜査ユニットの指令により各種センサー群と通信を行い動作確認できるようになっている（例えば特許文献１参照）。
【０００３】
図７は、特許文献１に記載された従来のセキュリティシステムの構成図を示すものである。図７に示すように、火災、ガス漏れ、防犯などの各種セキュリティセンサー７０１〜７０４を接続したコントローラ７０７に、玄関先に設置したドアホン子機７１０に接続されたインターホン親機７０６を接続して構成し、ドアホン子機７１０側には点検捜査ユニット７１３の試験用プラグ７１２を挿入するコネクタ部７１１を形成し、このコネクタ部７１１に試験用プラグ７１２を挿入し、点検捜査ユニット７１３を捜査することによって各種センサー群と通信を行い動作確認できるようになっている。
【特許文献１】特開平６−５２４８１号公報
【発明の開示】
【発明が解決しようとする課題】
【０００４】
しかしながら、前記従来の構成では、捜査ユニットの小型化が実施され、バッグやポケットに捜査ユニットを携帯することが可能となれば、自宅を出る前にセキュリティ機器の設定を指定したある状態へ変更することを忘れていたときでも、玄関先で携帯している操作ユニットでセキュリティ機器を指定したある状態へ変更する制御を行うことが可能となり、再度自宅内に入ってセキュリティ機器の操作をする必要はなくなるが、外出に慌てている場面では操作が大変煩わしく感じたり、玄関先で立ち止まることになり時間の浪費が発生するという課題があった。
【０００５】
本発明は、前記従来の課題を解決するもので、位置検出手段の検出により移動端末装置の現在位置が予め登録した位置に入ったとき、近距離無線通信手段を介して受信したセキュリティ機器のデータを移動端末装置に表示し、近距離無線通信手段を介してセキュリティ機器を指定したある状態へ変化させるセキュリティシステムを提供することを目的とする。
【課題を解決するための手段】
【０００６】
前記従来の課題を解決するために、本発明のセキュリティシステム、セキュリティ方法、及びそのプログラムは、宅内装置と移動端末装置とからなるセキュリティシステムであって、前記宅内装置は、建物のセキュリティ機器と、前記セキュリティ機器と通信して遠隔制御するための宅内通信手段と、前記セキュリティ機器の制御状態に関するデータ（たとえば機器名、メーカ名、製造年月日などの機器情報と、セキュリティ機器の現在の制御状態を示すデータ）を記憶する記憶手段と、外部とのネットワークを可能とするための外部通信手段と、前記セキュリティ機器、宅内通信手段、記憶手段、外部通信手段を制御する第１の制御手段とで構成され、前記移動端末装置は、近距離無線範囲内に位置する前記宅内装置との間で無線通信を行う近距離無線通信手段と、移動端末装置の現在の位置を検出し現在位置データを出力する位置検出手段と、前記近距離無線通信手段、位置検出手段を制御する第２の制御手段と、表示手段とで構成され、前記第２の制御手段は前記位置検出手段からの移動端末装置の前記現在位置データが予め登録した位置に入ったとき、前記近距離無線通信手段を介して前記宅内装置から前記セキュリティ機器のデータを受信し、前記表示手段に表示することを特徴としたものである。
【０００７】
これによって、例えば自宅の玄関前でドアホン子機に点検捜査ユニットのプラグを挿入することなく、移動中でもセキュリティ機器のモニターや機器制御が可能となる。
【発明の効果】
【０００８】
本発明のセキュリティシステム、セキュリティ方法、及びそのプログラムは、移動端末装置の現在位置が予め登録した位置に入ったとき、近距離無線通信手段を介してセキュリティ機器のデータを受信し、移動端末装置の表示手段に表示することから、例えば自宅の玄関前でドアホン子機に点検捜査ユニットのプラグを挿入することなく、移動中でもセキュリティ機器のモニターや機器制御が可能となる。
【０００９】
また、使用者宅に接近するときには留守中に異常報知がなかったか否かなどセキュリティ機器の様子を確認でき、異常が事前にわかれば例えば警察や警備保障会社などへ事前に通報することが可能となり未然に使用者は危険を避けることが可能となる。そして異常がなければ安心して入室することができる。
【発明を実施するための最良の形態】
【００１０】
第１の発明は、宅内装置と移動端末装置とからなるセキュリティシステムであって、前記宅内装置は、建物のセキュリティ機器と、前記セキュリティ機器と通信して遠隔制御するための宅内通信手段と、前記セキュリティ機器の制御状態に関するデータを記憶する記憶手段と、外部とのネットワークを可能とするための外部通信手段と、前記セキュリティ機器、宅内通信手段、記憶手段、外部通信手段を制御する第１の制御手段とで構成され、前記移動端末装置は、近距離無線範囲内に位置する前記宅内装置との間で無線通信を行う近距離無線通信手段と、移動端末装置の現在の位置を検出し現在位置データを出力する位置検出手段と、前記近距離無線通信手段、位置検出手段を制御する第２の制御手段と、表示手段とで構成され、前記第２の制御手段は前記位置検出手段からの移動端末装置の前記現在位置データが予め登録した位置に入ったとき、前記近距離無線通信手段を介して前記宅内装置から前記セキュリティ機器のデータを受信し、前記表示手段に表示するセキュリティシステムであることを特徴とし、例えば自宅の玄関前でドアホン子機に点検捜査ユニットのプラグを挿入することなく、移動中でもセキュリティ機器のモニターや機器制御が可能となる。
【００１１】
また、使用者宅に接近するときには留守中に異常報知がなかったか否かなどセキュリティ機器の様子を確認でき、異常が事前にわかれば例えば警察や警備保障会社などへ事前に通報することが可能となり未然に使用者は危険を避けることが可能となる。そして異常がなければ安心して入室することができる。
【００１２】
第２の発明は、特に、第１の発明のセキュリティシステムにおいて、前記移動端末装置は前記セキュリティ機器を指定したある状態へ変化させる制御信号を、前記近距離無線通信手段を介して出力し機器制御することを特徴とし、例えば玄関の施錠忘れや防犯センサーの外出警戒モードへの設定忘れなど、現在の機器の状態が外出時の設定になっていなかった場合でも、セキュリティ機器の設置場所に戻って設定を変える必要がなくなり、セキュリティ機器の遠隔制御が可能であることから時間の浪費がなく安心して外出することができる。
【００１３】
第３の発明は、特に、第１または第２の発明のセキュリティシステムにおいて、前記移動端末装置は前記セキュリティ機器のデータを受信し、前記セキュリティ機器が移動端末装置に予め登録している指定したある状態でないと判断した場合、セキュリティ機器を指定したある状態へ変更させる制御信号を移動端末装置の判断で前記近距離無線通信手段を介して出力することを特徴とし、例えば使用者が時間にゆとりがなく外出する場合でも、セキュリティ機器が移動端末装置に予め登録している指定したある状態に変更されるため、安心して外出することができる。
【００１４】
第４の発明は、宅内装置と移動端末装置とからなるセキュリティシステムであって、移動端末装置の現在の位置を検出し現在位置データを出力する位置検出手順と、前記位置検出手順において移動端末装置の前記現在位置データが予め登録した位置に入ったときに近距離無線通信手段を介して前記宅内装置から前記セキュリティ機器のデータを受信し、前記移動端末装置の表示手段に表示する手順とを備えることを特徴とし、例えば自宅の玄関前でドアホン子機に点検捜査ユニットのプラグを挿入することなく、移動中でもセキュリティ機器のモニターや機器制御が可能となる。また、使用者宅に接近するときには留守中に異常報知がなかったか否かなどセキュリティ機器の様子を確認でき、異常が事前にわかれば警察や警備保障会社などへ事前に通報することが可能となり未然に使用者は危険を避けることが可能となる。そして異常がなければ安心して入室することができる。
【００１５】
第５の発明は、特に、第４の発明のセキュリティ方法において、前記移動端末装置は前記セキュリティ機器のデータを受信した後に、前記セキュリティ機器が移動端末装置に予め登録している指定したある状態でないと判断した場合、セキュリティ機器を指定したある状態へ変更させる制御信号を移動端末装置の判断で前記近距離無線通信手段を介して出力する手順を備えることを特徴とし、例えば使用者が時間にゆとりがなく外出する場合でも、セキュリティ機器が移動端末装置に予め登録している指定したある状態に変更されるため、安心して外出することができる。
【００１６】
第６の発明は、特に、第１〜３の発明のいずれか１項のセキュリティシステムの機能の少なくとも一部をコンピュータに実現させるためのプログラムである。そして、プログラムであるので、電気・情報機器、コンピュータ、サーバー等のハードリソースを協働させて本発明のセキュリティシステムの少なくとも一部を容易に実現することができる。また記録媒体に記録したり通信回線を用いてプログラムを配信したりすることでプログラムの配布・更新やインストール作業が簡単にできる。
【００１７】
以下本発明の実施の形態について、図面を参照しながら説明する。なお、この実施の形態によって本発明が限定されるものではない。
【００１８】
（実施の形態１）
図１は本発明の第１の実施の形態におけるセキュリティシステムの構成図、図２、図３は本発明の第１の実施の形態における移動端末装置、宅内装置のブロック図を示すものである。
【００１９】
図１において、移動端末装置１０１は位置検出手段２０５としてＧＰＳ（Ｇｌｏｂａｌ  Ｐｏｓｉｔｉｏｎｉｎｇ  Ｓｙｓｔｅｍ）機能を備えている。この移動端末装置１０１と宅内装置１０２とは、Ｂｌｕｅｔｏｏｔｈ（Ｒ）等の相互に近距離無線通信を行うための手段を備えており、これにより移動端末装置１０１から宅内装置１０２を直接的に制御することができる。ここで、近距離とは例えば数ｍないし１０ｍ前後を想定している。近距離無線通信を行うための手段としては、障害物による通信阻害がないＢｌｕｅｔｏｏｔｈ（Ｒ）等の電波による通信が好ましいが、赤外線を利用することを排除するものではない。但し、赤外線を利用する場合には、自動操作時にアラーム等を発生して使用者の援助を要する場合がありうる。
【００２０】
移動端末装置１０１のブロック図を図２に、宅内装置１０２のブロック図を図３に示す。
【００２１】
図１〜図３において、移動端末装置１０１が予め登録した位置に入ったとき、移動端末装置１０１は宅内装置１０２からセキュリティ機器３０５のデータを近距離無線通信手段２０４を介して受信し、セキュリティ機器３０５の状態を表示手段２０１に表示する。また、移動端末装置１０１はセキュリティ機器３０５を指定したある状態へ変化させる制御信号を近距離無線通信手段２０４を介して出力し、セキュリティ機器３０５が移動端末装置１０１に予め登録している指定したある状態でない場合は、セキュリティ機器を指定したある状態へ変更させる制御信号を出力する。
【００２２】
以上のように構成されたセキュリティシステムについて、以下その動作、作用を説明する。
【００２３】
図２において、移動端末装置１０１に、セキュリティ機器３０５と、セキュリティ機器３０５のデータを取得するための位置を登録する必要がある。
【００２４】
まずセキュリティ機器３０５のデータを取得する位置の登録方法について説明する。キー入力手段２０２の所定の操作により移動端末装置１０１が機器登録モードへ移行し、移動端末装置１０１がセキュリティ機器３０５のデータを表示できる位置に移動端末装置１０１を移動する。この時、Ｂｌｕｅｔｏｏｔｈ（Ｒ）の通信接続が可能な範囲にする必要があることから、セキュリティ機器３０５の設置場所から数ｍないし１０ｍ前後の範囲にする必要がある。
【００２５】
キー入力手段２０２の操作によりセキュリティ機器３０５のデータの表示位置を決定すると、移動端末装置１０１はセキュリティ機器３０５からのデータを受信する位置を記憶手段に記憶する。
【００２６】
次にセキュリティ機器３０５の登録方法についてであるが、先に述べたように、移動端末装置１０１のキー入力手段２０２の所定の操作により移動端末装置１０１を機器登録モードへ移行させる。次に同じくセキュリティ機器３０５も所定の操作により機器登録モードへ移行させると、制御手段２０３はセキュリティ機器３０５から送信される機器情報をアンテナ２０６、近距離無線通信手段２０４を介して受信する。移動端末装置１０１は受信した機器情報を記憶手段へ保存する。機器情報には、機器名、メーカ名、製造年月日などが含まれている。
【００２７】
セキュリティ機器３０５の登録方法において、セキュリティ機器３０５の所定の操作でセキュリティ機器３０５を機器登録モードへ移行させたが、宅内装置１０２で所定の操作を実行することによってセキュリティ機器３０５を機器登録モードへ移行させてもよい。
【００２８】
移動端末装置１０１の位置検出手段２０５はＧＰＳ用の衛星からの電波受信のためのアンテナ２０７に接続され、必要時に移動端末装置１０１の現在の位置をチェックする。このチェックは周期的（時刻指定や現在位置データによる場所指定）、または間欠的（数秒または数十秒間隔で継続的に）、またはそれらの複合で実行される。
【００２９】
制御手段２０３は、図１に示すように移動端末装置１０１が自宅１０２から移動端末装置１０１に予め登録している位置へ移動した場合、位置検出手段２０５が出力する現在位置データから移動端末装置１０１が移動端末装置１０１に予め登録している位置に入ったことを認識し、自宅１０３に設置のセキュリティ機器３０５のデータを近距離無線通信手段２０４を介して取得し、制御手段２０３は受信したデータを表示手段２０１に表示する。
【００３０】
ここで、セキュリティ機器３０５のデータとは、機器名、メーカ名、製造年月日などの機器情報と、セキュリティ機器３０５の現在の制御状態を示すデータを含むものとする。
そして表示手段２０１にはセキュリティ機器３０５の機器名と現在の制御状態を表示するが、それ以外の機器情報（メーカ名、製造年月日）を表示させることも可能である。表示手段２０１にセキュリティ機器３０５のデータの表示が行われた時、使用者がこの報知画面に気づくように移動端末装置１０１からアラーム音や音声メッセージ、振動などを発生することが好ましい。
【００３１】
表示手段２０１に表示したセキュリティ機器３０５を選択すると、セキュリティ機器３０５の制御状態を選択させる画面を表示し、使用者が指定したある状態を選択すると、制御手段２０３はセキュリティ機器３０５を指定したある状態に変更する制御信号を近距離無線通信手段２０４とアンテナ２０６を介して出力し、自宅のセキュリティ機器３０５の制御状態を切り替える。
【００３２】
また、移動端末装置１０１はセキュリティ機器３０５のデータを受信したとき、移動端末装置１０１の判断で予め移動端末装置１０１に登録している指定したある状態へ変更する制御信号を出力する設定にすることが可能である。制御手段２０３は、セキュリティ機器３０５のデータを受信すると、セキュリティ機器３０５の制御状態が予め移動端末装置１０１に登録している指定したある状態になっているか否かを確認する（例えば玄関の施錠や防犯センサーの外出警戒モードへの設定など）。セキュリティ機器３０５の制御状態が予め移動端末装置１０１に登録している指定したある状態になっていない場合、制御手段３０３はセキュリティ機器３０５を指定したある状態へ変更させる制御信号を、移動端末装置１０１の判断で近距離無線通信手段２０４を介して出力し、自宅のセキュリティ機器３０５の制御状態を切り替える。
【００３３】
図３において、宅内装置１０２の制御手段３０３は、宅内通信手段３０４を介してセキュリティ機器３０５のデータを取得し、記憶手段３０２に記憶する。制御手段３０３がセキュリティ機器３０５のデータを取得するタイミングは、周期的（時刻指定や現在位置データによる場所指定）、または間欠的（数秒または数十秒間隔で継続的に）、またはそれらの複合で実行される。宅内通信手段３０４は無線ＬＡＮ、Ｂｌｕｅｔｏｏｔｈ（Ｒ）または特定小電力無線など無線を媒体として利用することも可能である。
【００３４】
宅内装置１０２の制御手段３０３は、移動端末装置１０１からのアクセスによって記憶手段３０２に記憶されたセキュリティ機器３０５のデータを返信し、移動端末装置１０１は表示手段２０１に現在のセキュリティ機器３０５のデータを表示する。そして、宅内装置１０２の制御手段３０３は、移動端末装置１０１からの制御信号に基づいてセキュリティ機器３０５へ宅内通信手段３０４を介してセキュリティ機器３０５の制御を行う。その結果は記憶手段３０２に再度記憶される。
【００３５】
宅内装置１０２の制御手段３０３は、セキュリティ機器３０５のデータを移動端末装置１０１からのアクセスによって記憶手段３０２に記憶されたデータを返信しているが、移動端末装置１０１がアクセスしたタイミングで制御手段３０３がセキュリティ機器３０５から現在のデータを取得し、そのまま移動端末装置１０１に返信しても良い。但し、この場合はセキュリティ機器３０５のデータを移動端末装置１０１へ返信すると同時に、記憶手段３０２へも保存する。
【００３６】
図４は移動端末装置１０１が予め登録している位置に入ったとき、近距離無線通信手段２０４を介して受信したセキュリティ機器３０５のデータを表示手段２０１に表示したイメージ図である。
【００３７】
移動端末装置１０１はセキュリティ機器３０５のデータを受信すると、表示手段２０１に自宅１０３のセキュリティ機器３０５の機器名と現在の制御状態を表示する。図４では玄関の施錠はＯＦＦ、人感センサーはＯＮ、開閉センサーＯＮであることを示している。
【００３８】
この時、外出時の玄関の施錠の制御状態をＯＮにするように移動端末装置１０１に予め登録しており、かつ移動端末装置１０１はセキュリティ機器３０５のデータを受信したとき、移動端末装置１０１の判断で予め移動端末装置１０１に登録している指定したある状態へ変更する制御信号を出力する設定にしていた場合は、制御手段２０３は近距離無線通信手段２０４とアンテナ２０６を介して玄関の電子錠の制御状態をＯＮに変更する制御信号を出力し、セキュリティ機器３０５である電子錠に指令がいき、電子錠はＯＮ動作（閉動作）する。このため使用者が制御状態の変更を忘れて外出した場合でも玄関の施錠を確実にＯＮにすることができ、安心して外出することができる。
【００３９】
図５はセキュリティ機器３０５の制御状態を使用者が変更する時のＵＩ（Ｕｓｅｒ  Ｉｎｔｅｒｆａｃｅ）のイメージ図である。例えば図４においては自宅１０３の玄関の施錠の制御状態がＯＦＦであるためＯＮに変更する場合は、図４の玄関施錠をタッチする。すると図５の様にセキュリティ機器３０５の制御状態を変更するアイコンが表示され、玄関の施錠をＯＮにしたい場合は、図５の「ＬＯＣＫ！」のアイコンをタッチすると、その指令が移動端末装置１０１の近距離無線通信手段２０４とアンテナ２０６を介して、セキュリティ機器３０５である電子錠にいき、電子錠はＯＮ動作する。
【００４０】
このため使用者が制御状態の変更を忘れて外出した場合でも玄関の施錠を確実にＯＮにすることができ、安心して外出することができる。本実施の形態ではセキュリティ機器３０５の制御状態を変更する場合はアイコンを用いたＵＩで説明を行ったが、ラジオボタンやチェックボックスを用いてもかまわないし、本発明の実施例に限定しない。
【００４１】
図６は本発明のセキュリティシステムの移動端末装置１０１の動作を説明するためのフローチャートである。
【００４２】
図６において、制御手段２０３は位置検出手段２０５が出力する現在位置データから現在位置を確認し（ＳＴＥＰ１）、移動端末装置１０１に予め登録している自宅１０３に設置のセキュリティ機器３０５のデータを要求する位置に入っているか否かを確認する（ＳＴＥＰ２）。
【００４３】
移動端末装置１０１がセキュリティ機器３０５のデータを要求する位置に入っていない場合（ＳＴＥＰ２、Ｎｏ）、再び移動端末装置１０１の現在位置を確認する処理に戻る（ＳＴＥＰ１）。ＳＴＥＰ１での現在位置の確認開始は、周期的（時刻指定や現在位置データによる場所指定）、または間欠的（数秒または数十秒間隔で継続的に）、またはそれらの複合で実行される。
【００４４】
移動端末装置１０１がセキュリティ機器３０５のデータを要求する位置に入っている場合（ＳＴＥＰ２、Ｙｅｓ）、自宅１０３に設置の宅内装置１０２にセキュリティ機器３０５のデータを近距離無線通信手段２０４とアンテナ２０６を介して受信し（ＳＴＥＰ３）、移動端末装置１０１の表示手段２０１にセキュリティ機器３０５の制御状態を表示する（図４参照）。
【００４５】
セキュリティ機器３０５の制御状態を受信すると、制御手段２０３は移動端末装置１０１の判断で移動端末装置１０１に予め登録している指定したある状態へ変更する制御信号を出力する設定にしているか否かを確認する（ＳＴＥＰ４）。
【００４６】
移動端末装置１０１の判断でセキュリティ機器３０５の制御状態を変更する設定になっている場合（ＳＴＥＰ４、Ｙｅｓ）、制御手段２０３はセキュリティ機器３０５の制御状態が移動端末装置１０１に予め登録している指定したある状態であるか否かを確認する（ＳＴＥＰ７）。
【００４７】
セキュリティ機器３０５の制御状態が移動端末装置１０１に予め登録している指定したある状態でない場合（ＳＴＥＰ７、Ｎｏ）、制御手段２０３は近距離無線通信手段２０４とアンテナ２０６を介してセキュリティ機器３０５の制御状態を移動端末装置１０１に予め登録している指定したある状態に変更する制御信号を出力し、再び制御手段２０３は位置検出手段２０５が出力する現在位置データから現在位置を確認する処理に戻る（ＳＴＥＰ１）。
【００４８】
ＳＴＥＰ７でセキュリティ機器３０５の制御状態が、移動端末装置１０１に予め登録している指定したある状態である場合（ＳＴＥＰ７、Ｙｅｓ）、制御手段２０３は何も実行せずに位置検出手段２０５が出力する現在位置データから現在位置を確認する処理に戻る  （ＳＴＥＰ１）。
【００４９】
セキュリティ機器３０５の制御状態を受信し、移動端末装置１０１の判断でセキュリティ機器３０５の制御状態を変更する設定になっていない場合（ＳＴＥＰ４、Ｎｏ）、制御手段２０３は使用者の意志でセキュリティ機器３０５の制御状態を変更されたか否かを確認する（ＳＴＥＰ５）。
【００５０】
セキュリティ機器３０５の制御状態を変更するアイコンが表示され、現在の制御状態と異なる制御状態に変更する操作を使用者が行った場合（ＳＴＥＰ５、Ｙｅｓ）、制御手段２０３は近距離無線通信手段２０４とアンテナ２０６を介してセキュリティ機器３０５の制御状態を変更する制御信号を出力し、再び制御手段２０３は位置検出手段２０５が出力する現在位置データから現在位置を確認する処理に戻る（ＳＴＥＰ１）。
【００５１】
ＳＴＥＰ５でセキュリティ機器３０５の制御状態を変更するアイコンの操作が行われなかった場合（ＳＴＥＰ５、Ｎｏ）、制御手段２０３は何も実行せずに位置検出手段２０５が出力する現在位置データから現在位置を確認する処理に戻る（ＳＴＥＰ１）。
【００５２】
以上のように、本実施の形態においては、移動端末装置の現在位置が予め登録した位置に入ったとき、近距離無線通信手段を介してセキュリティ機器のデータを受信し、移動端末装置の表示手段に表示することから、例えば自宅の玄関前でドアホン子機に点検捜査ユニットのプラグを挿入することなく、移動中でもセキュリティ機器のモニターや機器制御が可能となる。また、使用者宅に接近するときには留守中に異常報知がなかったか否かなどセキュリティ機器の様子を確認でき、異常が事前にわかれば警察や警備保障会社などへ事前に通報することが可能となり未然に使用者は危険を避けることが可能となる。そして異常がなければ安心して入室することができる。
【００５３】
また、移動端末装置１０１はセキュリティ機器３０５を指定したある状態へ変化させる制御信号を、近距離無線通信手段２０４を介して出力することを特徴とし、例えば玄関の施錠忘れや防犯センサーの外出警戒モードへの設定忘れなど、現在の機器の状態が外出時の設定になっていなかった場合でも、セキュリティ機器の設置場所に戻って設定を変える必要がなくなり、セキュリティ機器の遠隔制御が可能であることから時間の浪費がなく安心して外出することができる。
【００５４】
さらに、移動端末装置１０１はセキュリティ機器３０５のデータを受信し、セキュリティ機器３０５が移動端末装置１０１に予め登録している指定したある状態でないと判断した場合、セキュリティ機器３０５を指定したある状態へ変更させる制御信号を移動端末装置１０１の判断で近距離無線通信手段２０４を介して出力することを特徴とし、例えば使用者が時間にゆとりがなく外出する場合でも、セキュリティ機器３０５が移動端末装置１０１に予め登録している指定したある状態に変更されるため、安心して外出することができる。
【００５５】
なお、本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバー等のハードリソースを協働させるプログラムの形態で実施してもよい。プログラムであれば、磁気メディアや光メディアなどの記録媒体に記録したりインターネットなどの通信回線を用いて配信することでプログラムの配布・更新やインストール作業が簡単にできる。
【００５６】
なお、本実施の形態では、移動端末装置を、使用者が携帯して用いる携帯端末を例にして説明したが、移動端末装置は自動車など乗り物が備えるナビゲーション装置であってもよい。また位置情報の検出はＧＰＳに限らず移動体通信網のセルの移動情報などを用いても良い。また、位置検出手段についてはＧＰＳを用いたが移動体通信網のセルの移動情報などを用いてもよい。また、近距離無線通信には小電力無線や微弱無線を用いてもよい。
【産業上の利用可能性】
【００５７】
以上のように、本発明にかかるセキュリティシステム、セキュリティ方法、及びそのプログラムは、移動端末装置の現在位置が予め登録した位置に入ったとき、近距離無線通信手段を介してセキュリティ機器のデータを受信し、移動端末装置の表示手段に表示することから、例えば自宅の玄関前でドアホン子機に点検捜査ユニットのプラグを挿入することなく、移動中でもセキュリティ機器のモニターや機器制御が可能となる。また、使用者宅に接近するときには留守中に異常報知がなかったか否かなどセキュリティ機器の様子を確認でき、異常が事前にわかれば警察や警備保障会社などへ事前に通報することが可能となり未然に使用者は危険を避けることが可能となる。そして異常がなければ安心して入室することができる。
【図面の簡単な説明】
【００５８】
【図１】本発明の実施の形態１におけるの構成図
【図２】本発明の実施の形態１における移動端末装置のブロック図
【図３】本発明の実施の形態１における宅内装置のブロック図
【図４】本発明の実施の形態１におけるセキュリティ機器の制御状態を表示したイメージ図
【図５】本発明の実施の形態１におけるセキュリティ機器の制御状態を使用者が変更する時のＵＩのイメージ図
【図６】本発明の実施の形態１における移動端末装置の動作を説明するためのフローチャート
【図７】従来のセキュリティシステムのブロック図
【符号の説明】
【００５９】
１０１  移動端末装置
１０２  宅内装置
２０１  表示手段
２０３  制御手段（移動端末装置、第２の制御手段）
２０４  近距離無線通信手段
２０５  位置検出手段
３０１  外部通信手段
３０２  記憶手段
３０３  制御手段（宅内装置、第１の制御手段）
３０４  宅内通信手段
３０５  セキュリティ機器
【図１】
2005316555.tif 000003
【図２】
2005316555.tif 000004
【図３】
2005316555.tif 000005
【図４】
2005316555.tif 000006
【図５】
2005316555.tif 000007
【図６】
2005316555.tif 000008
【図７】
2005316555.tif 000009